(57)【特許請求の範囲】
【請求項１】
第１の非表示領域を持って封止られた第１の封止端と、第２の非表示領域を持って封止られた第２の封止端を有し、内部に放電ガスの封入された第１方向に細長いプラズマチューブを第１方向と交差する第２方向に複数本並べ、前記プラズマチューブの配列面の表示面側に所定間隔の非表示領域を隔てて平行に配置された第２の方向に延びる複数の表示電極対を備えて構成したプラズマチューブアレイを単位表示モジュールとし、当該単位表示モジュールを前記第１及び第２の方向に複数個隣接配置した構成を有する大型表示装置において、
前記第１方向に隣接する単位表示モジュール同士は、一方の単位表示モジュールを構成するプラズマチューブの第１の封止端の第１の非表示領域と、他方の単位表示モジュールを構成するプラズマチューブの前記第２の封止端の第２の非表示領域とが重なるように配置され、前記第２方向に隣接する単位表示モジュール同士は、一方の単位表示モジュールを構成する最外端プラズマチューブと、他方の単位表示モジュールを構成する最外端プラズマチューブとが平行に隣接するように配置されて成ることを特徴とする大型表示装置。
【請求項２】
隣接配置された前記単位表示モジュールの各プラズマチューブアレイは、前記プラズマチューブの配列方向にフレキシブルであり、背面側を湾曲した支持フレームに支持されて第２方向に湾曲した表示面を構成して成ることを特徴とする請求項１に記載の大型表示装置。
【請求項３】
第１方向に隣接配置された前記単位表示モジュールは、重なり合う部分で両側のプラズマチューブの第１の封止端と第２の封止端が整列するよう位置合わせして配置されて成ることを特徴とする請求項１または請求項２記載の大型表示装置。
【請求項４】
第２方向に隣接配置された前記単位表示モジュールの表示電極対は、互いに隣接する最外端プラズマチューブの間を通して前記配列面の背面側に折り曲げられていることを特徴とする請求項１，２，３のいずれか１項に記載の大型表示装置。
【請求項５】
隣接配置された前記単位表示モジュールの各プラズマチューブアレイは、それぞれ前記配列面の裏側に配置された支持フレーム上に支持されており、さらに当該支持フレームには前記表示電極対を駆動する回路ブロックが搭載されて成ることを特徴とする請求項１乃至４のいずれか１項に記載の大型表示装置。
【請求項６】
第１方向に隣接配置された前記単位表示モジュールは、位置合わせ機構を備えた共通の支持スタンドに支持されて成ることを特徴とする請求項１乃至５のいずれか１項に記載の大型表示装置。
【請求項７】
第１方向に隣接配置された前記単位表示モジュールの隣接端部の重なり部において、下に位置するプラズマチューブの最端部発光が上に位置するプラズマチューブの端部に透過する構成を有することを特徴とする請求項１乃至６のいずれか１項に記載の大型表示装置。
【請求項８】
内部に放電ガスの封入された第１方向に細長いプラズマチューブを第１方向と交差する第２方向に複数本並べ、前記プラズマチューブの前面側外周面に接触して第２の方向に延びる複数の表示電極対を内側面に有する可撓性の前面側フィルム状支持基板と、各プラズマチューブの背面側外周面に接触して第１方向に延びる複数のアドレス電極を内側面に有する可撓性の背面側フィルム状支持基板とで挟持した可撓性を有する構成のプラズマチューブアレイを単位表示モジュールとし、少なくとも２個の当該単位表示モジュールを前記第1方向に隣接配置した構成を有する大型表示装置において、
前記可撓性を有するプラズマチューブアレイの背面側には支持フレームが設けられ、かつ隣接配置された一方のプラズマチューブアレイの他方のプラズマチューブアレイに対する隣接端部は前記支持フレームから外れた自由端となされ、
前記一方の単位表示モジュールを構成するプラズマチューブアレイの前記自由端部の下に、他方の単位表示モジュールを構成するプラズマチューブアレイの隣接端部が当該プラズマチューブアレイの厚さ相当分の段差をもって重なるように配置されて成ることを特徴とする大型表示装置。
【請求項９】
前記第1方向を上下方向として前記一方と他方の単位表示モジュールを隣接配置した構成において、
記複数の表示電極対は、可撓性の前面側フィルム状支持基板の内側面に所定間隔の非表示領域を隔てて平行に配列され、上側に位置する前記一方のプラズマチューブアレイの隣接側最外端表示電極対と、下側に位置する他方のプラズマチューブアレイの隣接側最外端表示電極対との間隔が、前記非表示領域の間隔とほぼ一致するよう上側に位置する一方のプラズマチューブアレイの前記自由端部の下に他方のプラズマチューブアレイの端部を重ねて配置したことを特徴とする請求項８に記載の大型表示装置。
【発明の詳細な説明】
【技術分野】
【０００１】
この発明は、ＰＴＡ（プラズマチューブアレイ）を用いた大型表示装置に関する。
【背景技術】
【０００２】
直径約1mmのガラスチューブ内に蛍光体層を形成し、放電ガスを封入して両端を封止したガス放電管は、プラズマチューブと呼ばれる。このようなプラズマチューブを多数整列し、前面にプラズマチューブと直交する方向に透光性のある表示電極を形成し、背面にプラズマチューブと並行にデータ電極を形成した表示パネルが、プラズマチューブアレイ（PTA）と呼ばれている。そして、PTAでは、表示電極とデータ電極に任意の動作電圧を印加すると放電が発生し、放電によって生成された真空紫外線が蛍光体を励起し、蛍光体から放射された可視光の表示が得られるようになっている。
【０００３】
従って、PTAを用いる表示装置では、原理的にはプラズマチューブの長さと並べる本数でそのディスプレイサイズを決定することができる。
しかし、１枚のパネルとしてあまり大きな画面サイズのＰＴＡを作ると、工場から設置現場までの運搬，搬入が困難となる。そこで小形サイズのPTA単位表示モジュールを製作し、薄型・軽量の特徴を活かして、現場で組立てて接続するモジュール接続構造を採用している。
【０００４】
基本的にはPTA単位モジュールは、1m×1m程度の画面サイズを有する。このPTA単位表示モジュールを用いれば、様々な画面サイズの大型表示装置セットを構成できる。たとえば、６面のPTA単位表示モジュールを用いて横３面×縦２面に配置すれば、3m×2mの画面サイズとなる。
ただし、この場合、１枚パネルの表示装置とみなされるためには、PTA単位表示モジュール間の接続部分が見えないようにする必要がある。
そこで、この接続部分の幅を最小限にするため、プラズマチューブの長手方向に隣接するPTA単位表示モジュールの端部同士を突き合わせる構成が知られている（例えば、特許文献１参照）。
【０００５】
また、上記のようなＰＴＡを用いず、ＬＣＤやＰＤＰなどを用いる場合には、長方形状の画像表示領域の周囲の１辺又は２辺に駆動部が配置された複数の平面型表示デバイスを、駆動部の配置されていない２辺を互いに突合わせて継ぎ目が目立たないように配列すると共に、駆動部の上に画像表示領域を重ねて駆動部が見えないように配置した大型表示装置が知られている（例えば、特許文献２参照）。
【先行技術文献】
【特許文献】
【０００６】
【特許文献１】特開２００６−１６４６３５号公報
【特許文献２】特開平９−１３０７０１号公報
【発明の概要】
【発明が解決しようとする課題】
【０００７】
しかしながら、ＰＴＡを用いる大型表示装置の場合、ＰＴＡ単位モジュールを突き合わせることは、プラズマチューブの先端を互いに突き合わせることになる。プラズマチューブの先端を突き合わせることによって、ガラスチューブの先端同士が擦り合うことになり、ガラス管に傷がつき、ガラス管が破損されやすくなる。
ガラス管が破損すると、放電ガスが放出されてしまい、そのプラズマチューブでは放電しなくなり、表示上の欠陥が生じて、表示品位が著しく低下する。
【０００８】
また、プラズマチューブでは放電ガスを封止するため、ガラスチューブの両端を封止材で閉じている。封止材で閉じている箇所では放電が発生しない非表示領域となっている。非表示領域を小さくするために封止部分の厚みを薄くすると、薄くする分だけ放電ガスが抜ける確率が高くなってしまう。
【０００９】
この発明はこのような事情を考慮してなされたもので、ＰＴＡを用いた大型表示装置において、プラズマチューブの先端を突き合わすことなくPTA単位表示モジュールを配列することが可能な表示装置を提供するものである。
【課題を解決するための手段】
【００１０】
この発明は、第１の非表示領域を持って封止られた第１の封止端と、第２の非表示領域を持って封止られた第２の封止端を有し、内部に放電ガスの封入された第１方向に細長いプラズマチューブを第１方向と交差する第２方向に複数本並べ、前記プラズマチューブの配列面の表示面側に所定間隔の非表示領域を隔てて平行に配置された第２の方向に延びる複数の表示電極対を備えて構成したプラズマチューブアレイを単位表示モジュールとし、当該単位表示モジュールを前記第１及び第２の方向に複数個隣接配置した構成を有する大型表示装置において、前記第１方向に隣接する単位表示モジュール同士は、一方の単位表示モジュールを構成するプラズマチューブの第１の封止端の第１の非表示領域と、他方の単位表示モジュールを構成するプラズマチューブの前記第２の封止端の第２の非表示領域とが重なるように配置され、前記第２方向に隣接する単位表示モジュール同士は、一方の単位表示モジュールを構成する最外端プラズマチューブと、他方の単位表示モジュールを構成する最外端プラズマチューブとが平行に隣接するように配置されて成ることを特徴とする大型表示装置を提供するものである。
【発明の効果】
【００１１】
この発明によれば、プラズマチューブの長手方向（第１方向）に隣接するPTA単位表示モジュールは、封止端同士が重なる段差を持って設置され、プラズマチューブの配列方向（第２方向）に隣接するPTA単位表示モジュールは最外端プラズマチューブ同士が近接して設置されるので、プラズマチューブの破損を生じることなく、接続部分の幅を最小とした大画面の表示装置を構成することができる。
【図面の簡単な説明】
【００１２】
【図１】この発明に係るＰＴＡの構成説明図である。
【図２】この発明に係るＰＴＡの駆動回路を示すブロック図である。
【図３】この発明に係るＰＴＡの表示フレームの構成説明図である。
【図４】この発明に係る単位モジュールの駆動回路を示すブロック図である。
【図５】この発明に係る単位モジュールの駆動回路を示すブロック図である。
【図６】この発明に係る単位モジュールの駆動回路を示すブロック図である。
【図７】この発明に係る単位モジュールの外形を示す説明図である。
【図８】この発明に係る単位モジュールの外形を示す説明図である。
【図９】この発明に係る単位モジュールの外形を示す説明図である。
【図１０】図７〜図９のＡ−Ａ矢視断面図である。
【図１１】この発明に係るプラズマチューブの正面図である。
【図１２】この発明に係るプラズマチューブの正面図である。
【図１３】この発明に係るＰＴＡ装置の正面図である。
【図１４】この発明に係るＰＴＡ装置の側面図である。
【図１５】この発明に係るＰＴＡ装置の上面図である。
【図１６】この発明の参考例を示す図１３のＣ−Ｃ矢視断面図である。
【図１７】この発明の一つの実施例を示す図１３のＣ−Ｃ矢視断面図である。
【図１８】この発明の他の実施例を示す図１３のＣ−Ｃ矢視断面図である。
【図１９】この発明のさらに他の実施例を示す図１３のＣ−Ｃ矢視断面図である。
【図２０】図１５のＢ部拡大図である。
【図２１】図１３〜図１５に示すＰＴＡ装置の駆動回路を示すブロック図である。
【図２２】図１３〜図１５に示すＰＴＡ装置の変形例を示す図１５対応図である。
【発明を実施するための形態】
【００１３】
この発明による大型表示装置は、放電ガスを封入した細長いプラズマチューブを複数本並べ、前記プラズマチューブの外部に少なくとも１対の表示電極を有し、駆動電圧を表示電極に印加することでプラズマチューブ内に放電を起こさせて表示を行う表示単位を複数設置して大型表示装置を構成し、プラズマチューブの長手方向に設置される表示単位は、各プラズマチューブの封止端同士が重なるように厚さ方向に段差を設けて隣接配置したことを特徴とする。
前記重なり合い部分に挟まれるシート状の構造体をさらに備え、その構造体により上下の表示単位間の接触が防止されるようにしてもよい。
シート状の構造体が透光性であることが好ましい。
また、プラズマチューブの長手方向に隣接して上下に設置されるPTA単位表示モジュールは、重なり合う部分においても表示画像が連続して１つの表示画面に見えるよう上下のプラズマチューブの封止端同士を整列させ配置することが好ましい。
さらに、上下に設置されるPTA単位表示モジュールは、重なり合う部分に表示部の非表示領域と実質的に同じ幅の非表示領域を有するようにしてもよい。
【００１４】
ＰＴＡは本来、可撓性を有するので、背面側に支持フレームを設けて画面形状を規定することができ、湾曲支持フレームにより各ＰＴＡをプラズマチューブの配列方向に湾曲させて支持することができる。
支持部材は、プラズマチューブの長手方向に隣接するＰＴＡを、重なり合う部分が形成されるように支持してもよい。
【００１５】
各上記支持フレームにはPTA単位表示モジュール毎に表示電極駆動回路やアドレス電極駆動回路をさらに備えてもよい。
【００１６】
プラズマチューブアレイ（ＰＴＡ）の基本構成
図１は、この発明に係るＰＴＡ１００の基本構成を示す要部斜視図である。図１において、ＰＴＡ１００は、互いに平行に配置されたプラズマチューブ１１、透明な前面側支持基板３１、透明または不透明な背面側支持基板３２、複数の表示電極対Ｐ，複数の信号電極つまりアドレス電極３を備える。図１において、各電極対Ｐは２本の表示電極２からなり、Ｘは２本の表示電極２のうちの維持電極を示し、Ｙは２本の表示電極２のうちの走査電極を示している。支持基板３１および３２は、例えば厚さ０．５ｍｍの可撓性のＰＥＴフィルムで作られている。
【００１７】
プラズマチューブ１１の内部の背面側には、赤、緑、青（Ｒ、Ｇ、Ｂ）の蛍光体層４１Ｒ，４１Ｇ，４１Ｂがそれぞれ形成され、放電ガスが導入されて、両端が封止されている。
【００１８】
アドレス電極３は、背面側支持基板３２の前面すなわち内面上に形成され、プラズマチューブ１１の長手方向に沿って設けられている。隣接するアドレス電極３のピッチは、プラズマチューブ１１の配列ピッチと同じであり、１〜１．５ｍｍである。複数の表示電極対Ｐは、前面側支持基板３１の背面すなわち内面上に形成され、アドレス電極３と直角に交差する方向に配置されている。ＸおよびＹ電極の幅は例えば０．７５ｍｍであり、各表示電極対ＰにおけるＸ，Ｙ電極の間隔は例えば０．４ｍｍである。表示電極対Ｐと隣の表示電極対Ｐとの間には、帯状の非表示領域つまり非放電ギャップが確保され、その幅Ｄは例えば１．１ｍｍである。
【００１９】
また、アドレス電極３と表示電極２は、ＰＴＡ１００の組み立て時にプラズマチューブ１１の下側の外周面部分と上側の外周面部分にそれぞれ密着するように接触させる。その密着性を良くするために、それぞれの電極とプラズマ・チューブ面との間に接着剤を介在させて両者を接着してもよい。
【００２０】
このＰＴＡ１０を正面から平面的にみた場合、アドレス電極３と表示電極対Ｐとの交差部が単位発光領域となる。表示は、走査電極Ｙとアドレス電極３との交差部で選択放電を発生させて発光領域を選択し、その放電により当該領域の管内面に形成された壁電荷を利用して、表示電極対Ｐで表示放電を発生させ、蛍光体層を発光させることによって行う。選択放電は、Ｙ電極とアドレス電極３との間のプラズマチューブ１１内で発生される対向放電である。表示放電は、平面上に平行に配置された各対の維持電極Ｘと走査電極Ｙとの間のプラズマチューブ１１内で発生される面放電である。
【００２１】
ＰＴＡの駆動回路
図２はＰＴＡ１００を駆動する駆動回路のブロック図である。図２に示すように、維持電極Ｘ１〜Ｘｎには第１駆動回路１０１から駆動電圧が印加される。走査電極Ｙ１〜Ｙｎには第２駆動回路１０２から駆動電圧が印加される。そして、アドレス電極Ａ１〜Ａｍには第３駆動回路１０３からアドレス電圧が印加されるようになっている。
【００２２】
図３は、表示画像の１フレームの構成を示す。１フレームは奇数フィールドと偶数フィールドとに２分割され、いずれのフィールドも複数のサブフィールドＳＦ１〜ＳＦｎを備える。奇数フィールドでは図２に示すＰＴＡ１００の奇数の表示行において、後述のリセット、アドレス、および表示などの動作が行われるように各電極に第１，第２，第３駆動回路１０１，１０２，１０３から電圧が印加される。また、偶数フィールドではＰＴＡ１００の偶数の表示行においてリセット、アドレスおよび表示などの動作が行われるように、各電極に第１，第２，第３駆動回路１０１，１０２，１０３から電圧が印加される。
【００２３】
そのために、サブフィールドＳＦ１〜ＳＦｎは、図３に示すように、それぞれのサブフィールド画面を構成する全ての表示セルの電荷を一様化させるリセット期間ＲＰと、単位発光領域を選択するために所定の単位発光領域、つまり表示セルにアドレス放電を発生させて壁電荷を蓄積するアドレス期間ＡＰと、蓄積された壁電荷を利用して表示セルにおける放電を維持して表示する表示（サステイン）期間ＳＰとからなる。
【００２４】
リセット期間ＲＰにおけるリセット動作では、対応する維持・走査電極ＸＹ間にリセットパルスを印加し、各表示セルに壁電荷を消去させる放電を発生させる。アドレス期間ＡＰにおけるアドレス動作では、スキャンパルスを対応する走査電極Ｙに順次印加すると共に、このスキャンパルスに同期させて発光させるべき表示セルに対応したアドレス電極Ａにアドレスパルスを印加して、両電極間の交点で定まるアドレスの表示セルにアドレス放電を発生させ、壁電荷を形成する。サステイン期間ＳＰにおける表示動作では、サステインパルス（維持電圧）を対をなす維持・電極Ｘ，Ｙに印加して前記壁電荷の形成された単位発光領域の表示セルに維持放電を発生させる。
【００２５】
階調表示は、表示データに応じてサブフレームの表示動作期間ＳＰの長さ（放電回数）を変えることで行っている。例えば、８つのサブフレームにおける放電回数を、１：２：４：８：１６：３２：６４：１２８の比率にすることで、単位発光領域毎の階調は２５６段階となり、この単位発光領域が３つ集まることで１画素となるため、１６７７万（＝２５６＊２５６＊２５６）色のフルカラー表示が可能となる。
【００２６】
ＰＴＡ単位表示モジュール
図４，図５，図６は、この発明に係るＰＴＡ単位表示モジュール（以下、単位モジュールという）Ｍａ，Ｍｂ，Ｍｃの駆動回路のブロック図である。
これらの図において、ＰＴＡ１００ａは図１および図２のＰＴＡ１００に対応し、第１駆動回路１０１ａ，第２駆動回路１０２ａ，および第３駆動回路１０３ａは、それぞれ、図２の第１駆動回路１０１，第２駆動回路１０２，および第３駆動回路１０３に対応する。
【００２７】
図７は単位モジュールＭａの外観図であり、図７（ａ）は正面図，図７（ｂ）は裏面図，図７（ｃ）は上面図である。
これらの図に示すように、単位モジュールＭａでは、ＰＴＡ１００ａが裏面からＰＴＡ支持フレーム１１０によって支持され、支持フレーム１１０上に第１駆動回路ユニット１０１ａと第３駆動回路ユニット１０３ａが搭載されている。
【００２８】
図８は単位モジュールＭｂの外観図であり、図８（ａ）は正面図，図８（ｂ）は裏面図，図８（ｃ）は上面図である。
これらの図に示すように、単位モジュールＭｂでは、ＰＴＡ１００ａが裏面から支持フレーム１１０によって支持され、支持フレーム１１０上に第３駆動回路ユニット１０３ａが搭載されている。
【００２９】
図９は単位モジュールＭｃの外観図であり、図９（ａ）は正面図，図９（ｂ）は裏面図，図９（ｃ）は上面図である。
これらの図に示すように、単位モジュールＭｃでは、ＰＴＡ１００ａが裏面から支持フレーム１１０によって支持され、支持フレーム１１０上に第２駆動回路ユニット１０１ｂと第３駆動回路ユニット１０３ａが搭載されている。
【００３０】
図１０は、図７，図８および図９におけるＡ−Ａ矢視のライン上にあるプラズマチューブの長手方向断面図である。
図１０（ａ）はＰＴＡ１００ａにおいて、図１１に示すように両端が封止片２１，２５により封止され平坦化されたプラズマチューブ１１が使用され、ＰＴＡ１００ａを構成するプラズマチューブの封止端における非表示領域の幅Ｄａと他の非表示領域の幅Ｄとの関係が、Ｄａ≦Ｄ／２である場合を示す。
【００３１】
図１０（ｂ）はＰＴＡ１００ａにおいて、図１１に示すように両端が平坦化されたプラズマチューブ１１が使用され、ＰＴＡ１００ａを構成するプラズマチューブの封止端における非表示領域の幅Ｄａと他の非表示領域の幅Ｄとの関係が、Ｄ／２＜Ｄａ≦Ｄである場合を示す。
【００３２】
図１０（ｃ）はＰＴＡ１００ａにおいて、図１２に示すように一端のみが封止片２１によって封止され平坦化され他端が封止切られたプラズマチューブ１２が使用され、ＰＴＡ１００ａを構成するプラズマチューブ１２の一方の封止端における非表示領域の幅Ｄａと他の非表示領域の幅Ｄとの関係が、Ｄａ＞Ｄである場合を示す。
なお、プラズマチューブの端部の平坦封止法については、特開２００６−１６４６３５号公報に記載されている。
【００３３】
ＰＴＡを用いた大型表示装置
図１３はこの発明に係るＰＴＡを用いた大型表示装置（以下、ＰＴＡ装置という）の正面図であり、図１４は側面図，図１５は上面図である。
これらの図に示すＰＴＡ装置２００において、６枚のＰＴＡ１００ａが２行３列のマトリックス状に配列されるように、２組のモジュールＭａ，Ｍｂ，Ｍｃがそれぞれ支持スタンド３００ａ，３００ｂ，３００ｃに位置合わせ機構３０１を介して取付けられている。
図１３に示すようにマトリックス状に配置された６枚のＰＴＡ１００ａは、行方向には段差なく互いに隣接し列方向には段差を有して互いに隣接するように、位置合わせ機構３０１により位置合わせされる。
【００３４】
図１６〜図１９は図１３のＣ−Ｃ矢視のライン上に並んだプラズマチューブの長手方向断面図である。図１６は、参考例として２行３列の単位モジュールＭａ，Ｍｂ，Ｍｃを構成する各プラズマチューブ１１の封止端における非表示領域の幅Ｄａが図１０（ａ）に示すようにＤａ≦Ｄ／２の関係を有する場合である。この場合、第１行の単位モジュールと第２行の単位モジュールとを重ねることなくＰＴＡ１００ａの厚さ分だけ段差をもたせている。これによって第１行と第２行の単位モジュールの接続部分の非表示領域の幅をＤとすることができ、接続部分による表示品質の低下（表示ムラ）が回避される。
【００３５】
図１７は、２行３列の単位モジュールＭａ，Ｍｂ，Ｍｃを構成する各プラズマチューブ１１の封止端における非表示領域の幅Ｄａが図１０（ｂ）に示すようにＤ／２＜Ｄａ≦Ｄの関係を有する場合である。この場合、図17に示すように、第1行(上側)の単位表示モジュールの下端部は支持フレーム110から外れて自由端となっているので、当該下端部の下に第2行(下側)の単位表示モジュールの上端部をPTA100aの厚さ相当分の段差をもって重ねるように配置することができる。またこの重ね合わせた接続部分においては非表示領域の幅がＤになるように両者を位置合わせしている。これによって縦方向の接続部分による表示品質の低下(表示ムラ)が回避される。
【００３６】
図１８は第１行の単位モジュールＭａ，Ｍｂ，Ｍｃを構成する各プラズマチューブ１１の封止端における非表示領域の幅Ｄａが図１０の（ａ）又は（ｂ）に示すようにＤａ≦Ｄの関係を有し、第２行の単位モジュールＭａ，Ｍｂ，Ｍｃを構成するプラズマチューブが図１０の（ｃ）に示すようにＤａ＞Ｄの関係を有する場合である。この場合、図１７の場合と同様に、第１行の単位モジュールと第２行の単位モジュールを構成するプラズマチューブの隣接端部間にＰＴＡ１００ａの厚さ分の段差をもたせ、かつ、接続部分の非表示領域の幅がＤに納まるよう長い非表示領域を持つ封止端部の上に短かい非表示領域を持つ封止端部を重ね合わせている。これによって接続部分による表示品質の低下（表示ムラ）が回避される。
【００３７】
図１９は、列方向に隣接した２行の単位モジュールのプラズマチューブ同士を図１７に示すように重ね合わせた場合に、プラズマチューブの端部同士の重なり合い部分において下に位置するプラズマチューブの最端部セルの発光がさえぎられないように、その間に透光性を有する可撓性シート部材３０２を挟んだものである。これによって、第１行と第２行の単位モジュールとが直接接触することがなくなるので、接続部の輝度低下を招くことなくそれぞれのＰＴＡ１００ａを構成するプラズマチューブの端部が保護される。
【００３８】
図２０は、図１５のＢ部拡大図である。
同図に示すように行方向に配列されたＰＴＡ１００ａの隣接部分では、前面側支持基板３１が表示電極２と共に背面側支持基板３２の方向にほぼ直角に折り曲げられる。
折り曲げ部分の端部にコネクタ３０３が装着され、隣接するＰＴＡ１００ａの表示電極２間がコネクタ３０３の導電体３０４により電気的に直列接続される。
従って、隣接する単位モジュールの最外端のプラズマチューブ同士は前面側支持基板の厚み２枚分の幅で近接させることができる。つまり、隣接部分におけるプラズマチューブの配列ピッチを表示部のプラズマチューブの配列ピッチと実質的に同じにすることができ、隣接部分におけるつなぎ目の表示品質の低下（表示ムラ）が回避される。
なお、コネクタ３０３で電極を接続する方法の代わりに、クリップで挟持する方法や直接熱圧着する方法を用いることができる。
【００３９】
図２１は図１３に示すＰＴＡ装置２００の駆動回路を示すブロック図である。同図に示すように、第１および第２行のモジュールＭａ，Ｍｂ，Ｍｃのアドレス電極Ａ１〜Ａｍは、それぞれ独立した６つの第３駆動回路ユニット１０３ａによって駆動される。
また、第１行のモジュールＭａ，Ｍｂ，Ｍｃの電極Ｘ１〜Ｘｎは共通の第１駆動回路ユニット１０１ａによって駆動される。また、第１行のモジュールＭａ，Ｍｂ，Ｍｃの電極Ｙ１〜Ｙｎは共通の第２駆動回路ユニット１０２ａによって駆動される。
また、第２行のモジュールＭａ，Ｍｂ，Ｍｃの電極Ｘ１〜Ｘｎは共通の第１駆動回路ユニット１０１ａによって駆動される。また、第２行のモジュールＭａ，Ｍｂ，Ｍｃの電極Ｙ１〜Ｙｎは共通の第２駆動回路ユニット１０２ａによって駆動される。
【００４０】
図２２は、図１３〜図１５に示すＰＴＡ装置２００の変形例、ＰＴＡ装置２００ａを示す図１５対応図である。同図に示すように、この変形例ではＰＴＡ１００ａが行方向に可撓性を有するので、その方向に湾曲するように、湾曲形状を有する支持フレーム１１０によって支持されている。
この場合、支持フレーム１１０に搭載される第３駆動回路ユニットは、可撓性プリント配線板で構成され、支持フレーム１１０上に湾曲して搭載される。
その他の構成は図１３〜図１５に示す表示装置と同等である。
【符号の説明】
【００４１】
２    表示電極
３    アドレス電極
１１，１２    プラズマチューブ
２１    封止片
２５    封止片
３１    前面側支持基板
３２    背面側支持基板
４１Ｒ  蛍光体層
４１Ｇ  蛍光体層
４１Ｂ  蛍光体層
１００，１００ａ  ＰＴＡ
１０１，１０１ａ  第１駆動回路ユニット
１０２，１０２ａ  第２駆動回路ユニット
１０３，１０３ａ  第３駆動回路ユニット
１１０    ＰＴＡ支持フレーム
２００，２００ａ  ＰＴＡ装置
３００ａ，３００ｂ，３００ｃ  支持スタンド
３０１    位置合わせ機構
３０２    透明シート部材
３０３    コネクタ
３０４    導電体
Ｍａ，Ｍｂ，Ｍｃ  ＰＴＡ単位表示モジュール
Ｐ    表示電極対
Ｘ    維持電極
Ｙ    走査電極
【図１】
0005626398.tif 000002
【図２】
0005626398.tif 000003
【図３】
0005626398.tif 000004
【図４】
0005626398.tif 000005
【図５】
0005626398.tif 000006
【図６】
0005626398.tif 000007
【図７】
0005626398.tif 000008
【図８】
0005626398.tif 000009
【図９】
0005626398.tif 000010
【図１３】
0005626398.tif 000011
【図１４】
0005626398.tif 000012
【図１５】
0005626398.tif 000013
【図２０】
0005626398.tif 000014
【図２１】
0005626398.tif 000015
【図２２】
0005626398.tif 000016
【図１０】
0005626398.tif 000017
【図１１】
0005626398.tif 000018
【図１２】
0005626398.tif 000019
【図１６】
0005626398.tif 000020
【図１７】
0005626398.tif 000021
【図１８】
0005626398.tif 000022
【図１９】
0005626398.tif 000023